(57)【要約】      （修正有）【課題】簡易な構成ながらも、対象物の収納と搬送を可能にし、組立作業が容易な可搬型収納ケースを提供する。【解決手段】可搬型収納ケース１は、載置面を有するパレット２と、載置面に載置されるとともに固定され、内部に収納空間が形成された収納ケース３と、を備える。収納ケース３は、収納空間を区画形成する複数の板材である底面板、短辺側側面板３３、長辺側側面板３２及び天面板３４と、複数の板材の端部に着脱可能に構成され、端部に装着されることによって複数の板材を連結するアングルである長辺側アングル３５、短辺側アングル３６及び鉛直側アングル３７と、を有している。【選択図】図１
0003205028.tif 000002
【実用新案登録請求の範囲】
【請求項１】
対象物を収納した状態で搬送可能な可搬型収納ケースであって、
載置面を有するパレットと、
前記載置面に載置されるとともに固定され、内部に収納空間が形成された収納ケースと、を備え、
前記収納ケースは、
前記収納空間を区画形成する複数の板材と、
前記複数の板材の端部に着脱可能に構成され、該端部に装着されることによって前記複数の板材を連結するアングルと、を有していることを特徴とする可搬型収納ケース。
【請求項２】
前記収納ケースは、
前記収納空間の底面を区画形成する板材である底面板と、
前記収納空間の側面を区画形成する板材である側面板と、を有し、
前記収納ケースは、前記底面板と前記側面板とを連結する前記アングルにおいて前記載置面に対して固定されていることを特徴とする請求項１に記載の可搬型収納ケース。
【請求項３】
前記底面板の前記収納空間側の面に、前記底面板よりも大きい弾性を有するクッション材が配置されていることを特徴とする請求項２に記載の可搬型収納ケース。
【請求項４】
前記収納ケースは、前記収納空間の天面を区画形成する板材である天面板を有し、
前記天面板の外側面に補強部材が配置されていることを特徴とする請求項２に記載の可搬型収納ケース。
【請求項５】
前記補強部材の端部は、前記側面板と前記天面板とを連結する前記アングルと当接していることを特徴とする請求項４に記載の可搬型収納ケース。
【請求項６】
前記アングルは、
所定の角度を成して互いに接続される一対の外側板と、
前記一対の外側板のそれぞれとの間に隙間を形成するように配置される一対の内側板と、を有し、
前記隙間は、前記板材の端部を挿入可能に形成されていることを特徴とする請求項１乃至５のいずれか１項に記載の可搬型収納ケース。
【考案の詳細な説明】
【技術分野】
【０００１】
本考案は、対象物を収納した状態で搬送可能な可搬型収納ケースに関する。
【背景技術】
【０００２】
対象物の収納と搬送に用いられる可搬型収納ケースが広く普及している（例えば、特許文献１乃至３）。このような可搬型収納ケースは、収納ケース及びパレットによって構成される。収納ケースは箱形状を呈しており、対象物を収納する収納空間が内部に形成されている。パレットは、収納ケースを載置する基台である。当該収納ケースは、対象物を収納した状態で、パレットともに車両、船舶、航空機等によって搬送され、対象物の流通等に供される。
【先行技術文献】
【特許文献】
【０００３】
【特許文献１】特開平１１−１３００６７号公報
【特許文献２】特開２００９−１０７７０３号公報
【特許文献３】実用新案登録第３１６１８９２号公報
【考案の概要】
【考案が解決しようとする課題】
【０００４】
重量が大きい対象物の搬送を可能にし、搬送時の外力から対象物を保護するために、収納ケースは高い剛性を有していることが好ましい。一方、前述した従来の可搬型収納ケースでは、収納ケースが段ボールによって形成されることが一般的である。段ボールによって形成される収納ケースは、剛性に関する要求を満足し難い。この結果、従来の可搬型収納ケースでは、搬送できる対象物の数量や、鉛直方向に重ねて配置できる数に大きな制約が生じるという課題があった。また、段ボールは変形、損傷しやすいことから、搬送に使用した後の収納ケースは再利用が困難であるという課題があった。
【０００５】
また、収納ケースの剛性を高めようとすると、それに伴って構成が複雑化したり、大型化したりするおそれがある。この結果、収納ケースの組立作業の負荷が大きくなったり、不使用時の収納ケースが無為にスペースを占有してしまったりするという課題があった。
【０００６】
本考案はこのような課題に鑑みてなされたものであり、その目的は、簡易な構成ながらも、対象物の収納と搬送を可能にし、組立作業が容易な可搬型収納ケースを提供することにある。
【課題を解決するための手段】
【０００７】
上記課題を解決するために、本考案に係る収納ケースは、対象物を収納した状態で搬送可能な可搬型収納ケースであって、載置面を有するパレットと、載置面に載置されるとともに固定され、内部に収納空間が形成された収納ケースと、を備える。収納ケースは、収納空間を区画形成する複数の板材と、複数の板材の端部に着脱可能に構成され、該端部に装着されることによって複数の板材を連結するアングルと、を有している。
【０００８】
この構成によれば、収納ケースがパレットに固定されているため、対象物を収納ケースの収納空間に収納した状態で、パレットに力を付加して搬送することが可能になる。このため、収納ケースに要求される剛性を小さくし、収納ケースを簡易な構成にすることが可能になる。
【０００９】
また、収納空間を区画形成する板材は、当該板材の端部に装着されるアングルによって連結される。当該アングルは、板材の端部に着脱可能に構成されている。したがって、不使用時の可搬型収納ケースは、各板材の端部をアングルから離脱させることにより、容易に解体することができる。すなわち、対象物の収納や搬送を行わない際は、可搬型収納ケースを小型化することができるとともに、対象物の収納や搬送を行う際は、可搬型収納ケースの組立作業を容易に行うことが可能になる。
【００１０】
さらに、収納ケースは、収納空間の底面を区画形成する板材である底面板と、収納空間の側面を区画形成する板材である側面板と、を有し、収納ケースは、底面板と側面板とを連結するアングルにおいて載置面に対して固定されていてもよい。この構成によれば、底面板と側面板とを連結するアングルを用いて、収納ケースの周縁部において底面板と側面板とを連結するとともに、当該周縁部において載置面に対する固定を行うことができる。したがって、収納ケースをより確実にパレットに固定することが可能になる。
【００１１】
また、底面板の収納空間側の面に、底面板よりも大きい弾性を有するクッション材を配置してもよい。この構成によれば、収納空間に収納した対象物を、搬送時等に受ける衝撃から保護することが可能になる。
【００１２】
また、収納ケースは、収納空間の天面を区画形成する板材である天面板を有し、天面板の外側面に補強部材が配置されていてもよい。この構成によれば、複数の可搬型収納ケースを鉛直方向に重ねて配置する場合でも、下方に配置される可搬型収納ケースの天面板の変形を抑制することが可能になる。
【００１３】
また、補強部材の端部は、側面板と天面板とを連結するアングルと当接してもよい。この構成によれば、当該アングルを用いて、収納ケースの周縁部において天面板と側面板とを連結するとともに、当該周縁部において補強部材の支持を行うことができる。したがって、天面板の変形を、補強部材によってより確実に抑制することが可能になる。
【００１４】
また、アングルは、所定の角度を成して互いに接続される一対の外側板と、一対の外側板のそれぞれとの間に隙間を形成するように配置される一対の内側板と、を有していてもよい。さらに、隙間は、板材の端部を挿入可能に形成されていてもよい。この構成によれば、収納空間を区画形成する２つの板材の端部を、アングルの隙間に挿入するという簡易な作業によって連結することができる。したがって、可搬型収納ケースの組立作業を容易なものにすることが可能になる。
【考案の効果】
【００１５】
本考案によれば、簡易な構成ながらも、対象物の収納と搬送を可能にし、組立作業が容易な可搬型収納ケースを提供することができる。
【図面の簡単な説明】
【００１６】
【図１】実施形態に係る可搬型収納ケースを示す斜視図である。
【図２】図１の可搬型収納ケースを分解して示す斜視図である。
【図３】図１の長辺側アングルを示す斜視図である。
【図４】図１のＩＶ−ＩＶ断面を示す断面図である。
【考案を実施するための形態】
【００１７】
以下、添付図面を参照しながら本考案の実施形態について説明する。説明の理解を容易にするため、各図面において同一の構成要素に対しては可能な限り同一の符号を付して、重複する説明は省略する。
【００１８】
本実施形態に係る可搬型収納ケース１は、例えば感光性樹脂版を対象物として収納する容器である。また、可搬型収納ケース１は、当該対象物を収納した状態で、フォークリフト等によって搬送可能とされた搬送具でもある。
【００１９】
図１に示されるように、可搬型収納ケース１は、パレット２と、収納ケース３と、を備えている。
【００２０】
パレット２は、荷物を運搬するための基台である。パレット２は、長辺と短辺とを有する扁平形状を呈しており、天板２１及び底板２２と、複数の支持部材２３と、によって構成されている。以下の説明では、パレット２の長辺が延びる方向を「長辺方向」と称し、パレット２の短辺が延びる方向を「短辺方向」と称する。天板２１及び底板２２は、いずれも、ＬＶＬ（Laminated Veneer Lumber）材とも称される平板形状の単板積層材である。また、支持部材２３は、合板によって形成された棒状の角材である。
【００２１】
複数の支持部材２３は、天板２１と底板２２との間に配置され、底板２２に対して天板２１を支持するように固定されている。各支持部材２３は、接着や釘の打ち込みによって天板２１と底板２２に対して固定されている。また、複数の支持部材２３は、パレット２の長辺方向に間隔を空けて互いに平行に配置されるとともに、パレット２の短辺方向に延びるように配置されている。これにより、天板２１と底板２２との間には、パレット２の短辺方向に延びる複数の空間部２４が形成される。各空間部２４には、可搬型収納ケース１の運搬の際に、フォークリフトやハンドリフトの爪が挿入される。また、底板２２には、短辺方向に間隔を空けて互いに平行となる複数の支持部２５が形成されている。各支持部２５の間には、長辺方向に延びる空間部２６が形成されている。この空間部２６も、フォークリフトやハンドリフトの爪が挿入可能な構成とされている。
【００２２】
収納ケース３は、全体として略直方体形状を呈している。収納ケース３は、その短辺の寸法がパレット２の短辺方向寸法と略同一であるとともに、その長辺の寸法がパレット２の長辺方向寸法と略同一である。
【００２３】
図２に示されるように、収納ケース３は、底面板３１と、一対の長辺側側面板３２と、一対の短辺側側面板３３と、天面板３４と、を有している。また、図１に示されるように、収納ケース３は、複数の長辺側アングル３５と、複数の短辺側アングル３６と、複数の鉛直側アングル３７と、を有している。尚、図２では、長辺側アングル３５、短辺側アングル３６及び鉛直側アングル３７の図示を省略している。
【００２４】
底面板３１、短辺側側面板３３、長辺側側面板３２及び天面板３４は、いずれも厚さ寸法が略同一で平板形状の合板である。底面板３１、長辺側側面板３２、短辺側側面板３３及び天面板３４は、図４に示される収納空間３０を収納ケース３内に区画形成する。
【００２５】
詳細には、収納空間３０の底面は、底面板３１によって区画形成されている。収納空間３０の天面は、底面板３１と間隔を空けて配置される天面板３４によって区画形成されている。
【００２６】
また、一対の長辺側側面板３２は、収納ケース３の短辺方向に間隔を空けて、互いに対向するように配置されている。一方、一対の短辺側側面板３３は、収納ケース３の長辺方向に間隔を空けて、互いに対向するように配置されている。収納空間３０の側面は、このように配置される長辺側側面板３２及び短辺側側面板３３によって区画形成されている。
【００２７】
長辺側アングル３５、短辺側アングル３６及び鉛直側アングル３７は、底面板３１、長辺側側面板３２、短辺側側面板３３及び天面板３４の連結に用いられる部材である。長辺側アングル３５、短辺側アングル３６及び鉛直側アングル３７は、いずれも樹脂材料（例えば、エチレン・プロピレン共重合体）によって形成されている。
【００２８】
図３に示されるように、長辺側アングル３５は、一対の外側板３５ａ，３５ｂを有している。外側板３５ａ，３５ｂは平板形状を呈しており、互いに略垂直となるように、それぞれの端部において接続されている。
【００２９】
また、長辺側アングル３５は、一対の内側板３５ｃ，３５ｄを有している。内側板３５ｄは、その一端が外側板３５ａに接続され、外側板３５ｂとの間に隙間３５ｆを形成するように設けられる。また、内側板３５ｃは、その一端が内側板３５ｄに接続され、外側板３５ａとの間に隙間３５ｅを形成するように設けられる。隙間３５ｅ，３５ｆは、その幅寸法が、底面板３１、長辺側側面板３２、短辺側側面板３３及び天面板３４の厚さ寸法と略同一となるように形成されている。長辺側アングル３５は、長さＬに亘って隙間３５ｅ，３５ｆが延びるように形成されている。当該長さＬは、パレット２及び収納ケース３の長辺方向寸法と略同一である。
【００３０】
短辺側アングル３６及び鉛直側アングル３７は、図３に示される長辺側アングル３５と同様の構成を有するものであり、ここではその説明を省略する。すなわち、短辺側アングル３６及び鉛直側アングル３７は、いずれも、幅方向寸法が底面板３１、長辺側側面板３２、短辺側側面板３３及び天面板３４の厚さ寸法と略同一の２つの隙間が形成されている。
【００３１】
しかしながら、短辺側アングル３６及び鉛直側アングル３７は、その長さ寸法が長辺側アングル３５と異なる。すなわち、短辺側アングル３６の長さ寸法は、パレット２及び収納ケース３の短辺方向寸法と略同一である。また、鉛直側アングル３７の長さ寸法は、収納ケース３の鉛直方向寸法と略同一である。
【００３２】
可搬型収納ケース１は、以上のように構成された収納ケース３を、パレット２の載置面２１ａ（図２参照）に載置するとともに、載置面２１ａに対して固定することによって構成されている。次に、主に図４を参照しながら、可搬型収納ケース１の詳細な構成と、組立作業について説明する。図４は、図１のＩＶ−ＩＶ線における可搬型収納ケース１の断面を示している。
【００３３】
図４に示されるように、収納ケース３の底面板３１の短辺方向の両端部が、長辺側アングル３５の隙間３５ｆに挿入されている。同様に、底面板３１の長辺方向の両端部が、短辺側アングル３６（図４では不図示）の一方の隙間に挿入されている。底面板３１と長辺側アングル３５、及び、底面板３１と短辺側アングル３６は、それぞれ不図示の金具によって互いに固定されている。
【００３４】
また、収納ケース３の天面板３４の短辺方向の両端部が、長辺側アングル３５の隙間３５ｆに挿入されている。同様に、天面板３４の長辺方向の両端部が、短辺側アングル３６（図４では不図示）の一方の隙間に挿入されている。天面板３４と長辺側アングル３５、及び、天面板３４と短辺側アングル３６は、それぞれ不図示の金具によって互いに固定されている。
【００３５】
可搬型収納ケース１の組立作業においては、作業者は、まず、天板２１、底板２２及び複数の支持部材２３によって構成されたパレット２を予め用意する。また、前述したように端部が長辺側アングル３５及び短辺側アングル３６に挿入、固定された底面板３１及び天面板３４を用意する。
【００３６】
次に、作業者は、底面板３１を、長辺側アングル３５及び短辺側アングル３６とともにパレット２の載置面２１ａに載置する。これにより、長辺側アングル３５及び短辺側アングル３６が載置面２１ａと当接する。作業者は、不図示の金具を打ち込むことにより、長辺側アングル３５及び短辺側アングル３６を載置面２１ａに対して固定する。
【００３７】
次に、作業者は、長辺側アングル３５及び短辺側アングル３６によって囲まれた載置面２１ａ上の空間に、クッション材４を配置する。図２に示されるように、クッション材４は平板形状を呈する部材である。また、クッション材４は、発泡材によって形成されており、底面板３１よりも大きい弾性を有している。底面板３１は、略全体がこのクッション材４によって覆われる。
【００３８】
次に、作業者は、パレット２の載置面２１ａに固定されている長辺側アングル３５の隙間３５ｅに、長辺側側面板３２の端部を挿入する。同様に、作業者は、パレット２の載置面２１ａに固定されている短辺側アングル３６（図１参照）の他方の隙間に、短辺側側面板３３の端部を挿入する。これにより、底面板３１と、長辺側側面板３２及び短辺側側面板３３とが、長辺側アングル３５及び短辺側アングル３６によって連結される。一対の長辺側側面板３２及び一対の短辺側側面板３３は、いずれも、パレット２側から上方に延びるように配置される。
【００３９】
次に、作業者は、長辺側側面板３２の端部と短辺側側面板３３の端部が隣り合って形成される４箇所の隙間に、鉛直側アングル３７を配置する（図１参照）。詳細には、作業者は、長辺側側面板３２の端部を鉛直側アングル３７の一方の隙間に挿入するとともに、短辺側側面板３３の端部を鉛直側アングル３７の他方の隙間に挿入する。さらに、作業者は、各鉛直側アングル３７を、不図示の金具によって長辺側側面板３２に対して固定する。
【００４０】
これにより、パレット２の載置面２１ａ上に、底面板３１、長辺側側面板３２及び短辺側側面板３３によって囲まれ、上部が開放された収納空間３０が区画形成される。収納空間３０には、感光性樹脂版等の対象物を収納することができる。当該対象物はクッション材４上に載置される。図４では、当該対象物の図示を省略している。
【００４１】
次に、作業者は、収納空間３０に対象物が収納された状態において、天面板３４によって収納空間３０の上部を遮蔽する。当該天面板３４は、前述したように、端部が長辺側アングル３５及び短辺側アングル３６に挿入、固定されたものである。作業者は、当該長辺側アングル３５の他方の隙間に長辺側側面板３２の端部を挿入する。また、作業者は、当該短辺側アングル３６の他方の隙間に短辺側側面板３３の端部を挿入する。これにより、収納空間３０は閉空間となり、収納されている対象物が外部と遮断される。
【００４２】
次に、作業者は、図１及び図４に示されるように、天面板３４の上面を補強部材５で覆う。補強部材５は、不図示の金具によって天面板３４に対して固定される。補強部材５は合板によって構成されており、格子状を呈している。
【００４３】
図４に示されるように、短辺方向における補強部材５の両端部は、長辺側アングル３５の上面と当接している。また、長辺方向における補強部材５の両端部は、短辺側アングル３６（図４では不図示）の上面と当接している。
【００４４】
図４に示されるように、補強部材５が長辺側アングル３５及び短辺側アングル３６と当接することにより、補強部材５と天面板３４との間には隙間が形成される。当該隙間には、緩衝材６が配置される。緩衝材６は、発泡材によって形成されており、天面板３４よりも大きい弾性を有している。
【００４５】
また、図１に示されるように、長辺方向における補強部材５の端部５１，５２は、収納ケース３の端部よりも長辺方向に突出している。この突出した端部５１，５２は、可搬型収納ケース１を搬送する際の持ち手として機能する。したがって、端部５１，５２の突出寸法は２０ｍｍ程度とすればよい。
【００４６】
以上説明したように、本考案に係る可搬型収納ケース１は、載置面２１ａを有するパレット２と、載置面２１ａに載置されるとともに固定され、内部に収納空間３０が形成された収納ケース３と、を備える。収納ケース３は、収納空間３０を区画形成する板材である底面板３１、長辺側側面板３２、短辺側側面板３３及び天面板３４を有する。さらに、収納ケース３は、底面板３１、長辺側側面板３２、短辺側側面板３３及び天面板３４の端部に着脱可能に構成され、該端部に装着されることによって底面板３１、長辺側側面板３２、短辺側側面板３３及び天面板３４を連結する長辺側アングル３５、短辺側アングル３６及び鉛直側アングル３７と、を有している。
【００４７】
この構成によれば、収納ケース３がパレット２に固定されているため、対象物を収納ケース３の収納空間３０に収納した状態で、パレット２に力を付加して搬送することが可能になる。このため、収納ケース３に要求される剛性を小さくすることが可能になる。
【００４８】
また、収納空間３０を区画形成する底面板３１等の板材は、当該板材の端部に装着される長辺側アングル３５、短辺側アングル３６及び鉛直側アングル３７によって連結される。この長辺側アングル３５等は、板材の端部に着脱可能に構成されている。したがって、不使用時の可搬型収納ケース１は、各板材の端部を長辺側アングル３５等から離脱させることにより、容易に解体することができる。すなわち、対象物の収納や搬送を行わない際は、可搬型収納ケース１を小型化することができるとともに、対象物の収納や搬送を行う際は、可搬型収納ケース１の組立作業を容易に行うことが可能になる。
【００４９】
また、収納ケース３は、収納空間３０の底面を区画形成する板材である底面板３１と、収納空間３０の側面を区画形成する板材である長辺側側面板３２及び短辺側側面板３３と、を有する。収納ケース３は、底面板３１と長辺側側面板３２及び短辺側側面板３３とを連結する長辺側アングル３５及び短辺側アングル３６において載置面２１ａに対して固定されている。この構成によれば、長辺側アングル３５及び短辺側アングル３６を用いて、収納ケース３の周縁部において底面板３１と長辺側側面板３２及び短辺側側面板３３とを連結するとともに、当該周縁部において載置面に対する固定を行うことができる。したがって、収納ケース３をより確実にパレット２に固定することが可能になる。
【００５０】
また、底面板３１の収納空間３０側の面に、底面板３１よりも大きい弾性を有するクッション材４が配置されている。この構成によれば、収納空間３０に収納した対象物を、搬送時等に受ける衝撃から保護することが可能になる。
【００５１】
また、収納ケース３は、収納空間３０の天面を区画形成する板材である天面板３４を有する。天面板３４の外側面に補強部材５が配置されている。この構成によれば、複数の可搬型収納ケース１を鉛直方向に重ねて配置する場合でも、下方に配置される可搬型収納ケース１の天面板３４の変形を抑制することが可能になる。
【００５２】
また、補強部材５の端部は、長辺側側面板３２及び短辺側側面板３３と天面板３４とを連結する長辺側アングル３５及び短辺側アングル３６と当接している。この構成によれば、長辺側アングル３５及び短辺側アングル３６を用いて、収納ケース３の周縁部において天面板３４と長辺側側面板３２及び短辺側側面板３３とを連結するとともに、当該周縁部において補強部材５の支持を行うことができる。したがって、天面板３４の変形を、補強部材５によってより確実に抑制することが可能になる。
【００５３】
また、長辺側アングル３５は、略垂直を成して互いに接続される一対の外側板３５ａ，３５ｂを有する。さらに、長辺側アングル３５は、一対の外側板３５ａ，３５ｂのそれぞれとの間に隙間３５ｅ，３５ｆを形成するように配置される一対の内側板３５ｃ，３５ｄと、を有する。隙間３５ｅ，３５ｆは、板材の端部を挿入可能に形成されている。この構成によれば、収納空間３０を区画形成する２つの板材の端部を、長辺側アングル３５の隙間３５ｅ，３５ｆに挿入するという簡易な作業によって連結することができる。したがって、可搬型収納ケース１の組立作業を容易なものにすることが可能になる。短辺側アングル３６及び鉛直側アングル３７についても、同様の効果を奏することが可能である。
【００５４】
以上、具体例を参照しつつ本考案の実施の形態について説明した。しかし、本考案はこれらの具体例に限定されるものではない。すなわち、これら具体例に、当業者が適宜設計変更を加えたものも、本考案の特徴を備えている限り、本考案の範囲に包含される。前述した各具体例が備える各要素及びその配置、材料、条件、形状、サイズなどは、例示したものに限定されるわけではなく適宜変更することができる。
【００５５】
例えば、上記実施形態は、上面に補強部材５を配置することによって天面板３４を補強している。しかしながら、本考案はこの形態に限定されるものではない。すなわち、補強部材５による補強に代えて、又は、当該補強に加えて、天面板３４そのものの厚みを大きくすることにより補強された可搬型収納ケースも、本考案の範囲に包含される。
【００５６】
また、上記実施形態では、補強の効果、軽量化、及び作業性向上の観点から、補強部材５を格子状としている。しかしながら、本考案はこの形態に限定されるものではない。すなわち、平板形状やハニカム形状等、他の形状を呈する補強部材を備えた可搬型収納ケースも、本考案の範囲に包含される。
【符号の説明】
【００５７】
１：可搬型収納ケース
２：パレット
３：収納ケース
３０：収納空間
３１：底面板
３２：長辺側側面板
３３：短辺側側面板
３４：天面板
３５：長辺側アングル
３５ａ：外側板
３５ｂ：内側板
３６：短辺側アングル
３７：鉛直側アングル
４：クッション材
５：補強部材
６：緩衝材
【図１】
0003205028.tif 000003
【図２】
0003205028.tif 000004
【図３】
0003205028.tif 000005
【図４】
0003205028.tif 000006